(57)【要約】  本発明は、べース；前記べースの一側に配置されるハウジング；前記ハウジングの内側に配置されるレンズバレル；前記ハウジングの一側に配置されるカバー；前記べースの他側に配置される第１基板；前記第１基板に実装されて前記レンズバレルの下に配置されるイメージセンサー；前記ハウジングの内部に移動可能に支持されて、前記レンズバレルに入射される光の量を調節する絞りセット；前記レンズバレルと前記絞りセットを共に光軸方向に移動させる第１マグネットと第１コイルを含む第１駆動部；及び前記ハウジングに付着して前記第１駆動部の駆動のために外部で露出する複数の端子を含む第２基板；を含み、前記絞りセットは、内部に絞りを駆動する第２駆動部が配置されて、前記複数の端子は、前記第２駆動部とも連結されている。【選択図】図１
2019530899.tif 000002
【特許請求の範囲】
【請求項１】
べース；
前記べースの一側に配置されるハウジング；
前記ハウジングの内側に配置されるレンズバレル；
前記ハウジングの一側に配置されるカバー；
前記べースの他側に配置される第１基板；
前記第１基板に実装されて前記レンズバレルの下に配置されるイメージセンサー；
前記ハウジングの内部に移動可能に支持されて、前記レンズバレルに入射される光の量を調節する絞りセット；
前記レンズバレルと前記絞りセットを共に光軸方向に移動させる第１マグネットと第１コイルを含む第１駆動部；及び
前記ハウジングに付着して前記第１駆動部の駆動のために外部に露出する複数の端子を含む第２基板；を含み、
前記絞りセットは、内部に絞りを駆動する第２駆動部が配置されて、前記複数の端子は、前記第２駆動部とも連結されていることを特徴とする、カメラモジュール。
【請求項２】
前記絞りセットは：
前記レンズバレルに入射される入射管の口径を調節する絞り部；
前記絞り部が固定される絞り支持部；及び
一端が前記絞り支持部に付着して、他端は第２基板に固定される弾性支持部；を含むことを特徴とする、請求項１に記載のカメラモジュール。
【請求項３】
前記弾性支持部は、複数の配線が配置されて前記第２基板と前記第２駆動部を電気的に連結されることを特徴とする、請求項２に記載のカメラモジュール。
【請求項４】
前記第２駆動部は、第２マグネットと第２コイルを含み、前記第２基板と第２コイルが電気的に連結されることを特徴とする、請求項３に記載のカメラモジュール。
【請求項５】
前記レンズバレルは、前記絞り部の下に配置されることを特徴とする、請求項２に記載のカメラモジュール。
【請求項６】
前記レッズバレルは、互いに離隔した第１レンズバレル部と第２レンズバレル部を含み、前記絞り部は、前記第１レンズバレル部と前記第２レンズバレル部との間に配置されることを特徴とする、請求項２に記載のカメラモジュール。
【請求項７】
前記第１コイルは、前記第２基板に実装されることを特徴とする、請求項１に記載のカメラモジュール。
【請求項８】
前記第２基板に実装される第１ホールセンサーをさらに含むことを特徴とする、請求項７に記載のカメラモジュール。
【請求項９】
前記複数の端子を通して前記第１ホールセンサーと前記第１コイルが前記第１基板と電気的に連結されることを特徴とする、請求項８に記載のカメラモジュール。
【請求項１０】
本体；
前記本体の一面に配置されるディスプレイ部；及び
前記ディスプレイ部と電気的に連結されたカメラモジュール；を含み、
前記カメラモジュールは
べース；
前記べースの一側に配置されるハウジング；
前記ハウジングの内側に配置されるレンズバレル；
前記ハウジングの一側に配置されるカバー；
前記べースの他側に配置される第１基板；
前記第１基板に実装されて前記レンズバレルの下に配置されるイメージセンサー；
前記ハウジングの内部に移動可能に支持されて、前記レンズバレルに入射される光の量を調節する絞りセット；
前記レンズバレルと前記絞りセットを共に光軸方向に移動させる第１マグネットと第１コイルを含む第１駆動部；及び
前記ハウジングに付着して前記第１駆動部の駆動のために外部に露出する複数の端子を含む第２基板；を含み、
前記絞りセットは、内部に絞りを駆動する第２駆動部が配置されて、前記複数の端子は、前記第２駆動部とも連結されていることを特徴とする、光学装置。
【発明の詳細な説明】
【技術分野】
【０００１】
本実施形態は、カメラレンズバレル、カメラモジュール及び光学装置に関する。
【背景技術】
【０００２】
以下で記述される内容は、本実施形態に対する背景情報を提供するだけで従来技術を記載したものではない。
【０００３】
各種携帯端末の広く普及されて一般化され、無線インターネツトサービスが商用化されるにつれ携帯端末と関連した消費者の要求も多様化されていて多様な種類の付加装置が携帯端末に取り付けられている。
【０００４】
その中で代表的なものとして、被写体を写真や動画で撮影するカメラモジュールがある。一方、近年のカメラモジュールには被写体の距離に応じて焦点を自動で調節するオートフォーカス（ＡＦ，Ａｕｔｏ  Ｆｏｃｕｓ）機能が適用されている。また、撮影者の手振れによって映像が揺れる現象を防止する手振れ補正機能（ＯＩＳ，Ｏｐｔｉｃｉａｌ  Ｉｍａｇｅ  Ｓｔａｂｉｌｉｚａｔｉｏｎ）機能が適用されている。
【０００５】
また、カメラモジュールは、追加的な機能の実現のために絞り装置を含む構成が提案されている。
【０００６】
絞りは、別途のアクチュエータによってレンズの開放程度を調節するもので通常カメラモジュールのレンズ群中、前方レンズと後方レンズとの間に位置するので、光軸方向の移動性を有しながら、メイン基板と電気的な連結が持続的に維持されなければならないため、全体モジュールの製造費用が増加する短所がある。
【０００７】
さらに絞りは別途のアクチュエータによってレンズの開放程度を調節するもので通常カメラモジュールのレンズ群中、前方レンズと後方レンズとの間に位置しなければならないため、組み立ての際に多くの困難がある。
【発明の概要】
【発明が解決しようとする課題】
【０００８】
本発明は、前記の問題点を克服するために案出されたもので、レンズバレルに含まれた絞り装置とメイン制御装置との電気的連結が便利で製造が容易なカメラモジュール及び光学装置を提供するのをその目的とする。
【０００９】
さらに、本発明は前記の問題点を克服するために案出されたもので、前方レンズと後方レンズとの間に絞りを容易に結合することができ、またレンズの組み立ても便利に行うことができる絞り装置を備えたカメラレンズバレルを提供するのをその目的とする。
【課題を解決するための手段】
【００１０】
前記の目的を達成するために本発明は、べース；前記べースの一側に配置されるハウジング；前記ハウジングの内側に配置されるレンズバレル；前記ハウジングの一側に配置されるカバー；前記べースの他側に配置される第１基板；前記第１基板に実装されて前記レンズバレルの下に配置されるイメージセンサー；前記ハウジングの内部に移動可能に支持されて、前記レンズバレルに入射される光の量を調節する絞りセット；前記レンズバレルと前記絞りセットを共に光軸方向に移動させる第１マグネットと第１コイルを含む第１駆動部；及び前記ハウジングに付着して前記第１駆動部の駆動のために外部に露出する複数の端子を含む第２基板；を含み、前記絞りセットは、内部に絞りを駆動する第２駆動部が配置されて、前記複数の端子は、前記第２駆動部とも連結されている。
【００１１】
好ましくは、前記絞りセットは：前記レンズバレルに入射される入射管の口径を調節する絞り部；前記絞り部が固定される絞り支持部；及び一端が前記絞り支持部に付着して、他端は第２基板に固定される弾性支持部；を含む。
【００１２】
さらに好ましくは、前記弾性支持部は、複数の配線が配置されて前記第２基板と前記第２駆動部を電気的に連結される。
【００１３】
さらに好ましくは、前記第２駆動部は、第２マグネットと第２コイルを含み、前記第２基板と第２コイルが電気的に連結される。
【００１４】
好ましくは、前記レンズバレルは、前記絞り部の下に配置される。
【００１５】
好ましくは、前記レンズバレルは、互いに離隔した第１レンズバレル部と第２レンズバレル部を含み、前記絞り部は、前記第１レンズバレル部と前記第２レンズバレル部との問に配置される。
【００１６】
好ましくは、前記第１コイルは、前記第２基板に実装される。
【００１７】
さらに好ましくは、前記第２基板に実装される第１ホールセンサーをさらに含む。
【００１８】
さらに好ましくは、前記複数の端子を通して前記第１ホールセンサーと前記第１コイルが前記第１基板と電気的に連結される。
【００１９】
好ましくは、前記絞りセットは、内部に配置される第２ホールセンサーをさらに備え、前記第２ホールセンサーは前記弾性支持部を通して前記第２基板と電気的に連結される。
【００２０】
好ましくは、前記複数の端子は４つである。
【００２１】
さらに好ましくは、前記前記複数の端子は、電源線、接地線及び２つの制御線を含む。
【００２２】
さらに好ましくは、前記２つの制御線は、Ｉ２Ｃ通信用配線である。
【００２３】
好ましくは、前記第１駆動部の駆動用配線と前記第２駆動部の駆動用配線は、同じ属性同士電気的に連結される。
【００２４】
好ましくは、前記絞り支持部は、分割される複数の部材から構成される。
【００２５】
好ましくは、前記絞りセットは、前記レンズバレルが結合するレンズ結合部をさらに備え、前記レンズバレルは、前記レンズ結合部に結合される。
【００２６】
好ましくは、前記レンズ結合部は、第１レンズ結合部と第２レンズ結合部をさらに含み、前記レンズバレルは、互いに離隔した第１レンズバレル部と第２レンズバレル部を含み、前記第１レンズバレルは、前記第１レンズ結合部に結合され、前記第２レンズバレル部は、前記第２レンズバレル部に結合され、前記第１レンズバレル部と前記第２レンズバレル部との問に前記絞り部が配置される。
【００２７】
好ましくは、前記レンズバレルと前記イメージセンサーとの間に配置される赤外線遮断フィルターをさらに含む。
【００２８】
好ましくは、前記弾性支持部は、前記絞り支持部の一面と接触結合する固定部、前記絞り部と結合する垂直接続部、前記第２基板と結合する垂直引出部及び前記固定部と垂直接続部との問に配置されて弾性特性を提供する弾性部を含む。
【００２９】
さらに好ましくは、前記弾性部は、複数の折曲部によって弾性特性を付与する単位弾性部を含み、前記単位弾性部は、中央に位置する開放部に対して対称で２つ配置される。
【００３０】
また、本体；前記本体の一面に配置されるディスプレイ部；及び前記ディスプレイ部と電気的に連結されたカメラモジュール；を含み、前記カメラモジュールは、べース；前記べースの一側に配置されるハウジング；前記ハウジングの内側に配置されるレンズバレル；前記ハウジングの一側に配置されるカバー；前記べースの他側に配置される第１基板；前記第１基板に実装されて前記レンズバレルの下に配置されるイメージセンサー；前記ハウジングの内部に移動可能に支持されて、前記レンズバレルに入射される光の量を調節する絞りセット；前記レンズバレルと前記絞りセットを共に光軸方向に移動させる第１マグネットと第１コイルを含む第１駆動部；及び前記ハウジングに付着して前記第１駆動部の駆動のために外部に露出する複数の端子を含む第２基板；を含み、前記絞りセットは、内部に絞りを駆動する第２駆動部が配置されて、前記複数の端子は、前記第２駆動部とも連結されている。
【００３１】
前記の目的を達成するために本発明は、貫通口が形成される内径部を含むボディー；前記ボディーの側面にボディーを貫いて形成される結合ホール；前記ボディーの内部に位置する分離端；前記ボディー前方から挿入されてボディーの内部に固定される前方レンズ群；前記ボディー後方から挿入されてボディーの内部に固定される後方レンズ群；及び前記結合ホールを通して挿入されて入射光の口径を調節する絞り；を含む。
【００３２】
好ましくは、前記分離端は、ボディーの内部対向される面に対称的な形態で位置する２つの部材で構成されることを特微とする。
【００３３】
さらに好ましくは、前記分離端は、円弧部をさらに含むことを特微とする。
【００３４】
好ましくは、前記ボディーは、上端部と下端部に区分されて、上端部にレンズキャップが結合するキャップ固定部と前記キャップ固定部に結合するレンズキャップをさらに含むことを特微とする。
【００３５】
さらに好ましくは、前記キャップ固定部は、中央に形成されるレンズホールをさらに含むことを特微とする。
【００３６】
好ましくは、前記絞りは前記結合ホールに挿入されて、ボディーの内部では前記分離端の間の空間に位置することを特微とする。
【００３７】
好ましくは、前記後方レンズ群の直径が異なる複数のレンズを含み、前記ボディーは、内径部に位置する前記レンズの直径に対応する複数の端を含むことを特微とする。
【００３８】
また、本発明は、前記本体の一側に配置されたレンズバレル；前記本体の他側の配置された印刷回路基板；前記レンズバレルの光軸と並んで前記印刷回路基板に実装されるイメージセンサー；及び前記レンズバレルと前記イメージセンサーとの問に配置される赤外線遮断フィルターを含み、前記レンズバレルは、貫通口が形成される内径部を含むボディー；前記ボディーの側面にボディーを貫いて形成される結合ホール；前記ボディーの内部に位置する分離端；前記ボディーの前方から挿入されてボディーの内部に固定される前方レンズ群；前記ボディーの後方から挿入されてボディーの内部に固定される後方レンズ群；及び前記結合ホールを通して挿入されて入射管の口径を調節する絞り；を含む。
【００３９】
前記の目的を達成するために本発明に係る一実施形態は、内部に空間が形成される内径部を含むボディー；前記ボディーの側面の同じ位置にボディーを側面貫通して形成される複数の結合溝；前記ボディーの後方から挿入されてボディーの内部前方に位置する前方レンズ群；前記結合溝に挿入されて前記ボディーの側面を貫いて位置するブラケット；前記ボディー後方に挿入されて前記ブラケットによって一面が支持される後方レンズ群；及び前記ブラケットの開放部に挿入されて前方レンズ群と後方レンズ群との問に位置する絞り；を含む。
【００４０】
好ましくは、前記ボディーは、上端に位置して前記前方レンズ群の上端を支持するキャップ部をさらに含むことを特微とする。
【００４１】
さらに好ましくは、前記キャップ部は、中央に前記前方レンズ群の露出のための前方ホールをさらに含むことを特微とする。
【００４２】
好ましくは、前記ブラケットは、全体構造を支持して内部に前記絞り収容のための開放部を含む支持台及び前記支持台終端上端に位置する突出端を含むことを特微とする。
【００４３】
さらに好ましくは、前記支持台には挿入される絞りを前記開放部に案内する傾斜部をさらに含むことを特微とする。
【００４４】
好ましくは、前記前方レンズ群の個別レンズの直径は、前記後方レンズ群のうち最小直径のレンズの直径以下であることを特微とする。
【００４５】
さらに好ましくは、前記後方レンズ群は、直径が異なる複数のレンズを含み、前記ボディーは、内径部に位置する前記レンズの直径に対応する複数の端を含むことを特微とする。
【００４６】
また、本発明に係る一実施形態は、本体；前記本体の一側に配置されたレンズバレル；前記本体の他側に配置された印刷回路基板；前記レンズバレルの光軸と並んで前記印刷回路基板に実装されるイメージセンサー；及び前記レンズバレルと前記イメージセンサーとの問に配置される赤外線遮断フィルターを含み、前記レンズバレルは、内部に空間が形成される内径部を含むボディー；前記ボディーの側面の同じ位置にボディーを側面貫通して形成される複数の結合溝；前記ボディー後方から挿入されてボディーの内部前方に位置する前方レンズ群；前記結合溝に挿入されて前記ボディーの側面を貫いて位置するブラケット；及び前記ボディーの後方から挿入されて前記ブラケットによって一面が支持される後方レンズ群；及び前記ブラケットの開放部に挿入されて前方レンズ群と後方レンズ群との問に位置する絞り；を含む。
【００４７】
また、本発明に係る一実施形態は、本体；前記本体の一面に配置されるディスプレイ部；及び前記ディスプレイ部と電気的に連結されたカメラモジュール；を含み、前記カメラモジュールは、べース；前記べースの一側に配置されたレンズバレル；前記べースの他側に配置された印刷回路基板；前記レンズバレルの光軸と並んで前記印刷回路基板に実装されるイメージセンサー；及び前記レンズバレルと前記イメージセンサーとの問に配置される赤外線遮断フィルターを含み、前記レンズバレルは、内部に空間が形成される内径部を含むボディー；前記ボディーの側面の同じ位置にボディーを側面貫通して形成される複数の結合溝；前記ボディーの後方から挿入されてボディーの内部前方に位置する前方レンズ群；前記結合溝に挿入されて前記ボディーの側面を貫いて位置するブラケット；前記ボディーの後方から挿入されて前記ブラケットによって一面が支持される後方レンズ群；及び前記ブラケットの開放部に挿入されて前方レンズ群と後方レンズ群との問に位置する絞り；を含む。
【発明の効果】
【００４８】
本発明によるカメラモジュール及び光学装置は、絞り部に絞りの開放程度を感知するセンサーと一体で構成される制御部を配置して外部に連結される端子を最小化して、またオートフォーカシング装置の駆動のための端子と絞り駆動のための端子を共用で実現して選択的に駆動して、配線の共用化及び簡略化を成すことができ、カメラモジュール及び光学装置の製造費用を節減する効果を提供する。
【００４９】
また、本発明による絞りを含むカメラレンズバレルは、バレルの側面に結合ホールを形成して、前方レンズ群は、バレル前面を通して結合して、後方レンズ群は、バレルの後方を通して結合して、絞りは、バレルの側面に形成された結合ホールを通して結合することで全体レンズバレルを組み立てるため、レンズバレル製造が非常に便利な効果を提供する。
【００５０】
本発明による絞りを含むカメラレンズバレルは、バレルのボディーの側面に結合溝を形成して、前方レンズ群を先にボディーの後方で組み立て、結合溝を通してブラケットを挿入した後、後方レンズ群を挿入して組み立てて最後に絞りをブラケットの開放部に挿入して全体バレル組み立てを完成する構成でレンズ群と絞りの組み立てが非常に便利な効果を提供する。
【図面の簡単な説明】
【００５１】
【図１】本発明の第１実施形態に係るカメラモジュールの外形を示した斜視図である。
【図２】本発明の第１実施形態に係るカメラモジュールの組み立て図である。
【図３】本発明の第１実施形態に係るカメラモジュールに含まれた絞りセットの構成図である。
【図４】本発明の第１実施形態に係るカメラモジュールに含まれた絞り部の構成図である。
【図５】本発明の第１実施形態に係るカメラモジュールに含まれた弾性支持部の構成図である。
【図６】本発明の第２実施形態に係る絞り装置を備えたカメラレンズバレルの全体構成を示す組み立て図である。
【図７】本発明の第２実施形態に係る絞り装置を備えたカメラレンズバレルに含まれたボディーの構成図である。
【図８】本発明の第２実施形態に係る絞り装置を備えたカメラレンズバレルに含まれた分離端の構成図である。
【図９】本発明の第２実施形態に係る絞り装置を備えたカメラレンズバレルに含まれた結合ホールの構成図である。
【図１０】本発明の第３実施形態に係る絞り装置を備えたカメラレンズバレルの全体構成を示す組み立て図である。
【図１１】本発明の第３実施形態に係る絞り装置を備えたカメラレンズバレルに含まれたボディーの断面図である。
【図１２】本発明の第３実施形態に係る絞り装置を備えたカメラレンズバレルに含まれたブラケットの構成図である。
【図１３】本発明の第３実施形態に係る絞り装置を備えたカメラレンズバレルの組み立て順序を示す説明図である。
【発明を実施するための形態】
【００５２】
以下、本発明の一部実施形態を例示的な図面を通して説明する。各図面の構成要素に参照符号を記載するにあたり、同じ構成要素に対しては、例え別の図面上に表示されてもできるだけ同じ符号で表示する。
【００５３】
さらに、本発明の実施形態の構成要素を説明するにあたり、第１、第２、Ａ、Ｂ、（ａ）、（ｂ）等の用語を使うことができる。このような用語は、その構成要素を別の構成要素と区別するためのものであり、その用語によって該当構成要素の本質や順序又または順序などが限定されない。ある構成要素が別の構成要素に“連結”、“結合”または“接続”すると記載された場合、その構成要素は、その別の構成要素に直接的に連結、結合または接続されることができ、その構成要素とその別の構成要素との間にさらに別の構成要素が“連結”、“結合”または“接続”されてもよいと理解されなければならない。
【００５４】
以下で用いられる“光軸方向”は、レンズ駆動装置に結合された状態のレンズモジュールの光軸方向と定義する。一方、“光軸方向”は、“上下方向”、“ｚ軸方向”等と混用されることができる。
【００５５】
以下で用いられる“オートフォーカス機能”は、イメージセンサーに被写体の鮮明な映像が得られるように被写体の距離に応じてレンズモジュールを光軸方向に移動させてイメージセンサーとの距離を調節することによって被写体に対する焦点を自動で合わせる機能で定義する。一方、“オートフォーカス”は、“ＡＦ（Ａｕｔｏ  Ｆｏｃｕｓ）”と混用されてもよい。
【００５６】
以下で使われる“手振れ補正機能”は、外力によってイメージセンサーに発生する振動（動き）を相殺するようにレンズモジュールを光軸方向の垂直方向に移動させたりチルトする機能と定義する。一方、“手振れ補正”は、“ＯＩＳ（Ｏｐｔｉｃａｌ  Ｉｍａｇｅ  Ｓｔａｂｉｌｉｚａｔｉｏｎ）”と混用されてもよい。
【００５７】
以下、本発明に係る好ましい第１実施形態を添付図面を参照して具体的に説明する。
【００５８】
本発明の第１実施形態に係る絞り装置を備えたカメラモジュール１００は、図１に図示されたとおりの外形で構成される。
【００５９】
四角形ボックス形態の外形で、前面中央にレンズが位置して、裏面には映像信号処理などのための多様な素子が実装された第１基板２が配置されるが、前記外形は必要な場合、別の形状に変更可能である。
【００６０】
一方、前記カメラモジュール１００は図２に示したように、べース１を基準に前面には内部に空間が形成されたハウジング１０が配置されて、裏面には第１基板２が配置される。
【００６１】
この時、前記べース１は、ハウジング１０の裏面の面積を収容できる大きさで構成して、中央には四角形状の貫通口が形成されて、前記貫通口は、前記第１基板２に実装されるイメージセンサーが前記レンズに露出するようにする。
【００６２】
また、前記レンズと前記イメージセンサーとの間には赤外線遮断フィルターが配置される。
【００６３】
一方、前記ハウジング１０は、四角形のボックス形態であるが、必要な場合、別の形状に変更可能で、内部に他の部材を収容する空間が形成されて、側面には開放部１１が形成されている。
【００６４】
前記ハウジング１０の内部空間にはレンズセット９０が配置されて、前記レンズセット９０は、前記ハウジング１０の内部でオートフォーカシングのために前後方向に移動可能である。
【００６５】
勿論オートフォーカシングのための通常のレンズ駆動装置は、別に前記ハウジング１０の内部に配置されて、また、前記レンズセット９０の外面にもレンズ駆動のためのボビンなどが取り付けられてレンズセット９０の移動機能を行う。
【００６６】
必要な場合、前記レンズセット９０に第１マグネットが固定されて、ハウジング１０の側面には前記第１マグネットと対応する第１コイル、そして前記レンズセット９０の位置を認識する第１ホールセンサーを含む第１駆動部で実現することができる。
【００６７】
この時、前記レンズセット９０と前記ハウジング１０との間には低摩擦特性を有するガイドボールなどが配置される。
【００６８】
つまり、前記第１駆動部によって前記レンズセット９０は、ハウジング１０の内部で上下に移送される。
【００６９】
一方、前記レンズセット９０は、前面には第１レンズバレル部２０が、前記第１レンズバレル部２０の裏面には絞りセット５０が、そして絞りセット５０の裏面には第２レンズバレル部３０が各々配置される。
【００７０】
前記第１レンズバレル部２０及び第２レンズバレル部３０を含むレンズバレルは、多数の単位レンズを含んで構成されて、前記レンズの数は特に制限されない。
【００７１】
ここで前記ハウジング１０の内面と接触しながら全体レンズセット９０を支持する役割は、絞りセット５０が行う。
【００７２】
また、前記レンズバレル（第１レンズバレル部２０及び第２レンズバレル部３０）は、光軸が一致するように配置されて、前記絞りセット５０は、第１レンズバレル部２０の入射光の口径を調節する絞りの基本的な機能も行う。
【００７３】
そしてハウジング１０の内面に前記レンズセット９０が組み立てられると、ハウジング１０の前面でカバー８０が結合する。
【００７４】
前記カバー８０は、必要な場合、電磁波を遮蔽するシールドカン形態で実現され、中央には第１レンズバレル２０の終端に位置する単位レンズの前面が外部に露出できるように円形ホールが形成されていて、終端が前記ハウジング１０と結合して固定される。
【００７５】
一方、前記絞りセット５０は、図３に示したように、まず絞り支持部５１を含んで構成される。
【００７６】
前記絞り支持部５１は、前記ハウジング１０の内面に定着してハウジング１０の前後方に移動することができ、全体絞りセット５０を支持する構造体の役割を行う。
【００７７】
また、第１駆動部の構成要素である第１マグネットが固定される。
【００７８】
また、必要な場合、多数の部材が互いに結合して組み立てられる形態で構成され、中央には絞り部６０が定着することができる定着部５２が形成される。
【００７９】
前記定着部５２に絞り部６０が結合して、絞り部６０の結合の便利性をガイド部５３が形成される。前記ガイド部５３は、絞り部６０が挿入されて案内される形態で構成されるが、必要な場合、突起などを利用して実現されてもよい。
【００８０】
また、前記絞り支持部５１は、前方に前記第１レンズバレル部２０が定着する第１レンズ結合部が形成されて、後方には前記第２レンズバレル部３０が定着する第２レンズ結合部を含む。
【００８１】
無論前記第１レンズ結合部と第２レンズ結合部は、前記第１レンズバレル部２０及び前記第２レンズバレル部３０と簡単に結合することができる突起、ステップ部などの通常の結合構造で構成されるのが好ましい。
【００８２】
一方、前記絞りセット５０は、図４に図示された絞り部６０を含み、前記絞り部６０は、前記第１レンズバレル部２０のレンズ光軸と中心が一致するホール６２が形成されたボディー部６１を含んで構成される。
【００８３】
また、前記ホール６２の開放程度を調節する翼部（図示せず）と、前記翼部と機構的に連結されて動作させる第２マグネットと第２コイルで構成される第２駆動部を含む調節部６３を含み、前記調節部６３の動作位置を認識するために別途の第２ホールセンサー６４を含む。
【００８４】
前記第２ホールセンサー６４は、調節部６３中第２マグネットの位置に応じだ磁力変化を感知して調節部６３の開放程度を認識する役割をする。
【００８５】
従って、前記第２ホールセンサー６４の信号によって調節部６３の動作位置を認識して、前記調節部６３の動作位置により翼部の位置が決定されて、翼部の位置により最終的にホール６２の開放程度を認識することができる。
【００８６】
前記で説明した絞り部６０の構成は、通常の絞りと同じ構成であり、翼部は多様な形態で実現されるが、小型カメラ装置の場合には２つの翼部が対称形に配置されてホール６２の開放程度を調節する形態で実現されるのが好ましい。
【００８７】
一方、本発明に係る絞り部６０は、前記のような構成要素以外に前記第２ホールセンサー６４の信号を処理して調節部６３の開放程度を制御する制御部６９をさらに含んで構成される。
【００８８】
つまり、前記制御部６９は、前記第２ホールセンサー６４の信号を基に調節部６３を制御してホール６２の開放の開放程度を制御する。
【００８９】
前記制御部６９は別に構成することができるが、必要な場合、前記第２ホールセンサー６４を内蔵した形態で構成することができる。
【００９０】
この際には前記制御部６９は、前記第２ホールセンサー６４が位置した部分に配置されるのが好ましい。
【００９１】
一方、前記のような制御部６９の構成により第２ホールセンサー６４の信号を外部に引き出す必要がないため、前記絞り部６０は、４つの配線（電源線、接地線及び２つの制御線）を利用して出力端子に連結して構成すると、外部制御装置が前記出力端子に接続するだけで全体制御が可能である。
【００９２】
前記２つの制御線は、Ｉ２Ｃ（Ｉｎｔｅｒ−Ｉｎｔｅｇｒａｔｅｄ  Ｃｉｒｃｕｉｔ）通信のための通信線で実現され、この時、前記制御部６９は、前記Ｉ２Ｃ通信のための通信モジュールを含んで構成される。
【００９３】
なお、オートフォーカシングのための第１駆動部を含む場合、第１マグネットの干渉を最小化する地点に位置して、前記調節部６３の第２マグネットの作動位置を検出するように前記第２ホールセンサー６４または第２ホールセンサー６４を含む制御部６９を配置するのが好ましい。
【００９４】
一方、前記絞りセット５０は、図５に図示されたような弾性支持部７０を含む。
【００９５】
前記弾性支持部７０は、ＦＰＣＢで構成されて、絞り支持部５１の一面と接触結合する固定部７１、前記絞り部６０と結合する垂直接続部７２、前記引出部材４０と結合する垂直引出部７３及び前記固定部７１と垂直接続部７２との間に配置されて弾性特性を提供する複数の単位弾性部７４で構成される弾性部７５を含む。
【００９６】
無論前記弾性支持部７０は、最初平板形態で製造されて組み立て時に垂直接続部７２と垂直引出部７３が折り曲げられて結合するように構成することができるが、必要な場合、最初から折り曲げられた形態にも製造されることができる。
【００９７】
なお、前記弾性支持部７０は、４つの配線が前記垂直接続部７２、固定部７１、弾性部７５及び垂直引出部７３に配置される。
【００９８】
この時、垂直接続部７２の配線は、前記絞り部５０と電気的接続して、前記垂直引出部６０の配線は、引出部材４０の表面に配置される４つの端子４１と各々連結される。
【００９９】
また、前記弾性部７５は互いに離隔配置される単位弾性部７４を含んで構成されて、前記単位弾性部７４は、複数の折曲部で構成されて適切な弾性を付加する形態で構成されてレンズセット９０の移動に対応する。
【０１００】
一方、ハウジング１０の側面に形成された開放部１１には第２基板４０が結合する。前記第２基板４０の表面には上下４つの端子４１が付着していて、弾性支持部７０中垂直引出部７３が前記第２基板４０に接触して、同時に垂直引出部７３に形成された４つの配線が前記の上端子４１と電気的に連結される。
【０１０１】
一方、前記第２基板４０の裏面には第１コイルと前記第１コイルの中央には第１ホールセンサーが位置して、前記レンズセット９０中絞り支持部に付着した第１マグネットと対応して全体レンズセット９０の上下移送を行う。
【０１０２】
この時、前記第１コイル及び第１ホールセンサーは、前記下端子４１と電気的に連結されて、前記上端子４１と下端子４１は、はんだ付けにより電気的に連結されて第１駆動部と第２駆動部は同じ配線を共有するように構成される。
【０１０３】
また、前記第２基板４０の両終端は、第１基板２に実装されて外部制御装置と連動されて、前記制御装置とＩ２Ｃ通信によって第１駆動部と第２駆動部が選択的に駆動されることができる。
【０１０４】
一方、オートフォーカシングのだめののレンズ駆動装置（第１駆動部）の場合、駆動方式により使われる電源線の数が変わるが、最も多い形態は前記のように電源、接地及びＩ２Ｃ通信のための２つの通信線を含む構成が挙げられる。
【０１０５】
つまり、４つの配線を利用して、各配線の属性も本発明に応じだ絞り部５０に使われる配線と同じであるため、第１駆動部と本発明に係る絞り部５０（第２駆動部）は共通で端子を使用できる長所がある。このような点はＩ２Ｃ通信特性により、両装置は同じ端子を通して実現可能であるため、はんだ付けパッドを減少させることができ、さらに、全体構造的特性によりアクティブアライン時にＵＶ硬化リスクを最小化できる長所がある。
【０１０６】
一方、レンズ駆動装置の配線が４つ未満の場合にもやはり配線の属性により絞り部５０の配線と共通で端子を共有する場合も同じ長所を提供する。
【０１０７】
以下では、本第１実施形態に係る光学装置を説明する。
【０１０８】
光学装置は、携帯電話、スマートフォン（ｓｍａｒｔ  ｐｈｏｎｅ）、携帯用スマート機器、デジタルカメラ、ノートブックコンピュータ（ｌａｐｔｏｐ  ｃｏｍｐｕｔｅｒ）、デジタル放送用端末、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーションなどである。但し、これに制限されず映像または写真を撮影するための何らかの装置も可能である。
【０１０９】
光学装置は本体（図示せず）、ディスプレイ部（図示せず）、カメラモジュール１００を含むことができる。
【０１１０】
本体は、光学装置の外観を形成することができる。本体は一例として直方体形状を含むことができる。但し、これに制限されない。変形例として本体の少なくとも一部は、ラウンディングに形成されることができる。本体は、カメラモジュール１００を収容することができる。本体の一面にはディスプレイ部が配置されることができる。
【０１１１】
カメラモジュール１００は、本体に配置されることができる。カメラモジュール１００は、本体の一面に配置されることができる。カメラモジュール１００は、少なくとも一部が本体の内部に収容されることができる。カメラモジュール１００は、被写体の映像を撮影することができる。カメラモジュール１００は、ディスプレイ部と電気的に連結されることができる。
【０１１２】
ディスプレイ部は、本体に配置されることができる。ディスプレイ部は、本体の一面に配置されることができる。つまり、ディスプレイ部は、カメラモジュール１００と同じ面に配置されることができる。または、ディスプレイ部は、本体の一面と異なる面に配置されることができる。ディスプレイ部は、少なくとも一部が本体の内部に収容されることができる。ディスプレイ部は、カメラモジュール１００が配置された面の向いに位置する面に配置されることができる。ディスプレイ部は、カメラモジュール１００が撮影したイメージまたは映像信号を可視化したイメージまたは映像で出力することができる。
【０１１３】
以下本発明に係る好ましい第２実施形態を添付図面を参照して具体的に説明する。
【０１１４】
本発明の第２実施形態に係る絞り装置を含むカメラレンズバレル２００は、図６に示したように、円筒形のボディー２１０、ボディー２１０の前方に挿入されるレンズキャップ２２０、ボディー２１０の前方に形成されるキャップ固定部２３０、ボディー２１０の側面に形成される結合ホール２４０、ボディー２１０の内面に形成される分離端２５０を含み、ボディー２１０の前方を通して挿入される前方レンズ群２０１、ボディー２１０の後方を通して挿入される後方レンズ群２０２及び結合ホール２４０を通して結合する絞り２６０を含んで構成される。
【０１１５】
まず、ボディー２１０は、内部に貫通口形態の内径部が位置して他の部材を収容することができる。
【０１１６】
ここで前記ボディー２１０は、円筒形状と開示したが、必要に応じて別の形状で実現可能であり、ボディー２１０の内部に形成される内径部も円筒形状であるが必要な場合、別の形状で実現可能である。
【０１１７】
この時挿入される前方レンズ群２０１及び後方レンズ群２０２は、ボディー２１０の内径部の形状と一致するようにその形状が実現される。
【０１１８】
前記ボディー２１０は、図７に示したように上端部２１１と下端部２１２に区分されて、前記上端部２１１の直径は、前記下端部２１２に比べて小さいサイズで構成されることが好ましく、内径部の直径は、結合する前方レンズ群２０１及び後方レンズ群２０２の直径に応じて異なるように構成する。
【０１１９】
特に下端部２１２の内径部には各々直径が異なる多数のレンズで構成される後方レンズ群２０２の定着のために直径が異なる多数の端が形成されていて、この時挿入されるレンズは直径が小さい方から順次挿入される。
【０１２０】
また、ボディー２１０は、内径部に位置する分離端２５０を含み、前記分離端２５０は、上端部２１１の内部に位置して、一面が下端部２１２と上端部２１１の境界面に位置する。
【０１２１】
一方、分離端２５０は、図８に示したようにボディー２１０の内径部に側面方向に互いに対向するように配置される同じ形状の部材２つで構成される。
【０１２２】
また、分離端２５０の中央部にはボディー２１０の内径部の中央部を原点とする円弧部２５１が各々形成されている。
【０１２３】
前記分離端２５０は、ボディー２１０と同じ材質で構成され、必要な場合、ボディー２１０と一体型で構成されることができる。
【０１２４】
合成樹脂材質の場合、射出方式を通してボディー２１０と分離端２５０が単一材質で成形されるように構成することが製造的に有利であるが、別の材質で構成して別途の付着工程によって結合する方式でも製造可能である。
【０１２５】
一方、ボディー２１０の前方には前方レンズ群２０１が挿入されて、挿入される前方レンズ群２０１は、分離端２５０によって下方向への移動が制限されて、前方はレンズキャップ２２０によって固定される。
【０１２６】
この時レンズキャップ２２０は、ボディー２１０の上端部２１１に形成されるキャップ固定部２３０に結合して、必要な場合、ボンディングなどの方法によって互いに固定される。
【０１２７】
従って、前方レンズ群２０１は、分離端２５０及びレンズキャップ２２０によってボディー２１０の内部に固定される。
【０１２８】
この時、レンズキャップ２２０の中央には別途のレンズホール２２１が形成されてもよく、前記レンズホール２２１に前方レンズ群２０１のレンズ中上端に位置するレンズの突出部が挿入されるように実現されることができる。
【０１２９】
ここで前方レンズ群２０１は、２つのレンズ、後方レンズ群２０２は、４つのレンズで開示したが、各レンズの数は必要に応じて変更可能である。
【０１３０】
なお前記前方レンズ群２０１の光軸と後方レンズ群２０２の光軸は、ボディー２１０の中心軸と一致するように位置するのが好ましい。
【０１３１】
一方、図９に示したように、ボディー２１０側面中内部に形成された分離端２５０が形成された位置に互いに対向される方向に２つの結合ホール２４０が位置する。
【０１３２】
前記結合ホール２４０は、ボディー２１０の開放部の役割をするもので、２つの結合ホール２４０の連結する空間は、分離端２５０の開放された空間と同じである。
【０１３３】
さらに必要な場合、前記結合ホール２４０は、ボディー２１０の一側面だけ形成されるように構成することができる。
【０１３４】
一方、結合ホール２４０が形成されたボディー２１０には一部が切開された外部端２４１が形成されて、前記外部端２４１は、光軸と直角で形成されることが好ましい。
【０１３５】
また、前記結合ホール２４０には絞り２６０が挿入されて、この時、前記外部端２４１光軸と直角で形成されているため、絞り２６０の組み立ての便利性を提供して、特に絞り２６０の一端が位置する部分を外部端２４１にマーキングずる場合、またはストッパーを形成する場合、絞り２６０の結合位置を正確に設定できる長所がある。
【０１３６】
一方、単一結合ホール２４０を形成する場合には、絞り２６０中ボディー２１０の内部に挿入される終端をボディー２１０の内径直径と同じ曲率の円弧で構成する場合、ボディー２１０の内部に正確に結合する長所がある。
【０１３７】
一方、前記絞り２６０は、開放面積を調節できる絞り部と前記絞り部の開放程度を調節するアクチュエータと前記アクチュエータの動作を制御するための制御ライン、そして絞り部の開放程度を認識するセンサー部を含んで構成されて、別途の制御部によって前記絞り部の開放程度を調節する通常の絞り構成を含んで構成される。
【０１３８】
以下本発明の第３実施形態に係る好ましい実施形態を添付図面を参照して具体的に説明する。
【０１３９】
本発明の第３実施形態に係る絞り装置を含むカメラレンズバレル３００の一実施形態は、図１０に示したように、円筒形のボディー３１０、ボディー３１０の側面に形成される結合溝３４０、ボディー３１０の後方を通して挿入されてボディー３１０の内部前方に位置する前方レンズ群３０１、前方レンズ群３０１挿入後ボディー３１０の後方を通して挿入されるボディー３１０の内部後方に位置する後方レンズ群３０２及び前方レンズ群３０１挿入後及び後方レンズ群３０２挿入前結合溝３４０に挿入されるブラケット３７０及びブラケット３７０の内部に結合する絞り３６０を含んで構成される。
【０１４０】
まず、ボディー３１０は、内部に貫通口形態の内径部が位置して他の部材を収容できる。
【０１４１】
ここで前記ボディー３１０は、円筒形状と開示したが、必要に応じて別の形状で実現可能であり、ボディー３１０の内部に形成される内径部も円筒形状であるが、必要な場合、別の形状で実現可能である。
【０１４２】
この時、挿入される前方レンズ群３０１及び後方レンズ群３０２は、ボディー３１０の内径部の形状と一致するようにその形状が実現される。
【０１４３】
前記ボディー３１０は、図１１に示したように上端部３１１と下端部３１２に区分されて、前記上端部３１１の直径は、前記下端部３１２に比べて小さいサイズで構成されることが好ましく、内径部の直径は、結合する前方レンズ群３０１及び後方レンズ群３０２の直径に応じて異なるように構成する。
【０１４４】
上端部３１１は、上端にはキャップ部３２０が形成されて挿入される前方レンズ３０１を支持して、前記キャップ部３２０の中央には前方ホール３２１が形成されて前方レンズ群３０１を外部に露出する。
【０１４５】
そして下端部３１２内径部には、各々直径が異なる多数のレンズで構成される後方レンズ群３０２の定着のために直径が異なる多数の端が形成されていて、この時挿入されるレンズは直径が小さい方から順次挿入される。
【０１４６】
一方、前方レンズ群３０１は、ボディー３１０の下端部で挿入されてキャップ部３２０によって支持される。
【０１４７】
従って、前方レンズ群３０１は、後方レンズ群３０２の最小直径レンズと同じか小さく構成される。
【０１４８】
ここで前方レンズ群３０１は、２つのレンズ、後方レンズ群３０２は、４つのレンズで開示したが、各レンズの数は必要に応じて変更可能である。
【０１４９】
そして前記前方レンズ群３０１の光軸と後方レンズ群３０２の光軸は、ボディー３１０の中心軸と一致するように位置することが好ましい。
【０１５０】
一方、図１１に示したように、ボディー３１０の下端部３１２の上部には互いに対向される方向に２つの結合溝３４０が位置する。
【０１５１】
前記結合溝３４０は、ボディー３１０の開放部の役割をするもので、２つの結合溝３４０を連結する空間にはレンズ群３０１、３０２が位置しない。
【０１５２】
また、結合溝３４０が形成されたボディー３１０には一部が切開された外部端３４１が形成されて、前記外部端３４１は、光軸と直角で形成されることが好ましい。
【０１５３】
一方、一側結合溝３４０には図１２に図示されたような、ブラケット３７０が挿入されて、ブラケット３７０は、ボディー３１０の内部中レンズ群３０１、３０２が位置しない空いた空間を貫いて他側結合溝３４０に露出する。
【０１５４】
前記ブラケット３７０は、同じ厚さの‘⊂’字形態であり、開放部３７２を含む支持台３７１、前記支持台３７１の終端上面に突出する突出端３７３、そして支持台３７１の両終端に形成される傾斜部３７４を含む。
【０１５５】
前記支持台３７１に形成された開放部３７２には絞り３６０が位置して、この時、前記傾斜部３７４は、絞り３６０の正確な挿入を案内する役割をする。
【０１５６】
そして前記突出端３７３は、結合溝３４０にブラケット３７０挿入時ストッパーの役割をしてブラケット３７０の正確な結合を案内する役割をして、突出端３７３が支持台３７１の上端に位置するので、開放部３７２は支持台３７１の終端に露出する。
【０１５７】
無論ブラケット３７０は、突出端３７３が形成された反対側で結合溝３４０に挿入される形態で組み立てられて、必要な場合にはボンディング等を通してブラケット３７０をボディー３１０に結合して分離を防止する。
【０１５８】
また、必要な場合、ブラケット３７０の支持台３７１の内面には、絞り３６０の両側面の一部が挿入できる絞り溝３７５が形成され、前記絞り溝３７５は、絞りの正確な結合位置まで形成されるように構成することが好ましい。
【０１５９】
一方、前記ブラケット３７０が、ボディー３１０に結合した後には、ブラケット３７０の開放部３７２中突出端３７３の下端を通して絞り３６０が挿入される。
【０１６０】
この時、支持台３７１に内面に絞り溝３７５が形成された場合には、絞り溝３７５に絞り３６０が挿入される。
【０１６１】
必要な場合、絞り３６０も別途のボンディングなどによってブラケット３７０に固定されて分離を防止する。
【０１６２】
ここで絞り３６０は、開放面積を調節できる絞り部と前記絞り部の開放程度を調節するアクチュエータと前記アクチュエータの動作を制御するための制御ライン、そして絞り部の開放程度を認識するセンサー部を含んで構成されて、別途の制御部によって前記絞り部の開放程度を調節する通常の絞り構成を含んで構成される。
【０１６３】
一方、本発明に係るカメラレンズバレル３００は、図４に示したように、まずボディー３１０を準備した後、前方レンズ群３０１をボディー３１０の後方を通して挿入する。以後、結合溝３４０にブラケット３７０を挿入した後、ブラケット３７０をボディー３１０に固定する。以後、後方レンズ群３０２を順次挿入して固定する。以後、絞り３６０をブラケット３７０に挿入して固定する。
【０１６４】
この時、必要な場合、絞り３６０は、ブラケット３７０がボディー３１０に結合した後直ちに結合することができる。
【０１６５】
従って、前記ブラケット３７０は、前方レンズ群３０１の下端レンズと後方レンズ群３０２の上端レンズを支持する役割をすると共に、絞り３６０が便利に結合できる長所を提供する。
【０１６６】
一方、本発明の第２実施形態及び第３実施形態に係るカメラレンズバレル２００、３００は、携帯用端末用小型カメラモジュールに適用でき、この時、レンズ駆動装置中ボビンに結合して構成されて、必要な場合、オートフォーカシング、手振れ補正装置などが追加されて、前記レンズバレル２００、３００に取り付けられた光学レンズをイメージに変化するイメージセンサーを含む印刷回路基板、赤外線遮断フィルターなどを含む形態で実現されることができる。
【０１６７】
例えば、カメラモジュールの全体構造を形成するべースの一側に前記レンズバレル２００、３００が配置される。
【０１６８】
そしてレンズバレル２００、３００が配置された本体他側に印刷回路基板が配置されて、レンズバレル２００、３００の光軸と並んで前記基板に実装されるイメージセンサーが配置される。
【０１６９】
また、レンズバレル２００、３００とイメージセンサーとの間には赤外線遮断フィルターを配置して最終カメラモジュールで構成することができる。
【０１７０】
また、前記カメラモジュールは、次のような光学装置の一実施形態で実現されることができる。
【０１７１】
ここで、光学装置は、携帯電話、スマートフォン（ｓｍａｒｔ  ｐｈｏｎｅ）、携帯用スマート機器、デジタルカメラ、ノートブックコンピュータ（ｌａｐｔｏｐ  ｃｏｍｐｕｔｅｒ）、デジタル放送用端末、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーションなどが挙げられる。但し、これに制限されず映像または写真を撮影するための何らかの装置も可能である。
【０１７２】
光学装置は、本体（図示せず）、ディスプレイ部（図示せず）、前記のカメラモジュールを含むことができる。
【０１７３】
本体は、光学装置の外観を形成することができる。本体は一例として直方体形状を含むことができる。但し、これに制限されない。変形例として本体の少なくとも一部は、ラウンディングに形成されることができる。本体は、カメラモジュールを収容することができる。本体の一面にはディスプレイ部が配置されることができる。
【０１７４】
カメラモジュールは、本体に配置されることができる。カメラモジュールは、本体の一面に配置されることができる。カメラモジュールは、少なくとも一部が本体の内部に収容されることができる。カメラモジュールは、被写体の映像を撮影することができる。カメラモジュールは、ディスプレイ部と電気的に連結されることができる。
【０１７５】
ディスプレイ部は、本体に配置されることができる。ディスプレイ部は、本体の一面に配置されることができる。つまり、ディスプレイ部は、カメラモジュールと同じ面に配置されることができる。または、ディスプレイ部は、本体の一面と他の面に配置されることができる。ディスプレイ部は、少なくとも一部が本体の内部に収容されることができる。ディスプレイ部は、カメラモジュール（この配置された面の向かいに位置する面に配置されることができる。ディスプレイ部はカメラモジュールが撮影したイメージまたは映像信号を可視化したイメージまたは映像で出力することができる。
【０１７６】
以上で、本発明の実施形態を構成するすべての構成要素が一つで結合したり、結合して動作すると説明されてはいるが、本発明が必ずしもこのような実施形態に限定されるのではない。つまり、本発明の目的範囲内であれば、そのすべての構成要素が１つ以上で選択的に結合して動作することもできる。さらに、以上で記載された“含む”、“構成する”または“有する”等の用語は、特に反対となる記載がない限り、該当構成要素が内在する可能性があることを意味するため、他の構成要素を除くのではなく他の構成要素をさらに包含できると解釈されなければならない。技術的や科学的な用語を含んだすべての用語は、異なる定義がされない限り、本発明が属する技術分野で通常の知識を有する者によって一般的に理解されるのと同じ意味がある。事前に定義された用語と共に一般的に使われる用語は、関連技術の文脈上の意味と一致すると解釈されるべきで、本発明で明白に定義しない限り、理想的や過度に形式的な意味と解釈されない。
【図１】
2019530899.tif 000003
【図２】
2019530899.tif 000004
【図３】
2019530899.tif 000005
【図４】
2019530899.tif 000006
【図５】
2019530899.tif 000007
【図６】
2019530899.tif 000008
【図７】
2019530899.tif 000009
【図８】
2019530899.tif 000010
【図９】
2019530899.tif 000011
【図１０】
2019530899.tif 000012
【図１１】
2019530899.tif 000013
【図１２】
2019530899.tif 000014
【図１３】
2019530899.tif 000015
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
べース；
前記べースの一側に配置されるハウジング；
前記ハウジングの内側に配置されるレンズバレル；
前記ハウジングの一側に配置されるカバー；
前記べースの他側に配置される第１基板；
前記第１基板に実装されて前記レンズバレルの下に配置されるイメージセンサー；
前記ハウジングの内部に移動可能に支持されて、前記レンズバレルに入射される光の量を調節する絞りセット；
前記レンズバレルと前記絞りセットを共に光軸方向に移動させる第１マグネットと第１コイルを含む第１駆動部；及び
前記ハウジングに付着して前記第１駆動部の駆動のために外部に露出する複数の端子を含む第２基板を含み、
前記絞りセットは、内部に絞りを駆動する第２駆動部が配置されて、
前記複数の端子は、前記第２駆動部と連結されていることを特徴とする、カメラモジュール。
【請求項２】
前記絞りセットは：
前記レンズバレルに入射される入射管の口径を調節する絞り部；
前記絞り部が固定される絞り支持部；及び
一端が前記絞り支持部に付着して、他端は第２基板に固定される弾性支持部を含むことを特徴とする、請求項１に記載のカメラモジュール。
【請求項３】
前記弾性支持部は、複数の配線が配置されて前記第２基板と前記第２駆動部を電気的に連結することを特徴とする、請求項２に記載のカメラモジュール。
【請求項４】
前記第２駆動部は、第２マグネットと第２コイルを含み、前記第２基板と第２コイルは電気的に連結されることを特徴とする、請求項３に記載のカメラモジュール。
【請求項５】
前記レンズバレルは、前記絞り部の下に配置されることを特徴とする、請求項２に記載のカメラモジュール。
【請求項６】
前記レンズバレルは、互いに離隔した第１レンズバレル部と第２レンズバレル部を含み、前記絞り部は、前記第１レンズバレル部と前記第２レンズバレル部との間に配置されることを特徴とする、請求項２に記載のカメラモジュール。
【請求項７】
前記第１コイルは、前記第２基板に配置されることを特徴とする、請求項１に記載のカメラモジュール。
【請求項８】
前記第２基板に配置される第１ホールセンサーを含むことを特徴とする、請求項７に記載のカメラモジュール。
【請求項９】
前記複数の端子を通して前記第１ホールセンサーと前記第１コイルが前記第１基板と電気的に連結されることを特徴とする、請求項８に記載のカメラモジュール。
【請求項１０】
前記絞りセットは内部に配置される第２ホールセンサーを含み、前記第２ホールセンサーは前記弾性支持部を通して前記第２基板と電気的に連結されることを特徴とする、請求項４に記載のカメラモジュール。
【請求項１１】
前記複数の端子は電源線、接地線及び２つの制御線を含むことを特徴とする、請求項１に記載のカメラモジュール。
【請求項１２】
前記２つの制御線はＩ２Ｃ通信用配線であることを特徴とする、請求項１１に記載のカメラモジュール。
【請求項１３】
前記第１駆動部の駆動用配線と前記第２駆動部の駆動用配線は同一属性ともに電気的に連結されることを特徴とする、請求項１に記載のカメラモジュール。
【請求項１４】
前記絞り支持部は分割される複数の部材からなることを特徴とする、請求項２に記載のカメラモジュール。
【請求項１５】
前記絞りセットは前記レンズバレルが結合されるレンズ結合部をさらに含み、前記レンズバレルは前記レンズ結合部に結合されることを特徴とする、請求項１に記載のカメラモジュール。
【請求項１６】
前記レンズ結合部は第１レンズ結合部と、第２レンズ結合部を含み、
前記レンズバレルは互いに離隔された第１レンズバレル部と第２レンズバレル部を含み、
前記第１レンズバレル部は前記第１レンズ結合部に結合され、前記第２レンズバレル部は前記第２レンズ結合部に結合され、
前記絞り部は前記第１レンズバレル部と前記第２レンズバレル部との間に配置されることを特徴とする、請求項１５に記載のカメラモジュール。
【請求項１７】
前記レンズバレルと前記イメージセンサーとの間に配置される赤外線遮断フィルターを含むことを特徴とする、請求項１に記載のカメラモジュール。
【請求項１８】
前記弾性支持部は前記絞り支持部の一面と接触結合する固定部と、前記絞り部と結合する垂直接続部と、前記第２基板と結合する垂直引出部と、前記固定部と前記垂直接続部との間に配置されて弾性特性を提供する弾性部を含むことを特徴とする、請求項２に記載のカメラモジュール。
【請求項１９】
前記弾性部は複数の折曲部により弾性特性を提供する単位弾性部を含み、前記単位弾性部は中央に位置する開放部に対して対称に２つ配置されることを特徴とする、請求項１８に記載のカメラモジュール。
【請求項２０】
本体；
前記本体の一面に配置されるディスプレイ部；及び
前記ディスプレイ部と電気的に連結されたカメラモジュールを含み、
前記カメラモジュールは
べース；
前記べースの一側に配置されるハウジング；
前記ハウジングの内側に配置されるレンズバレル；
前記ハウジングの一側に配置されるカバー；
前記べースの他側に配置される第１基板；
前記第１基板に実装されて前記レンズバレルの下に配置されるイメージセンサー；
前記ハウジングの内部に移動可能に支持されて、前記レンズバレルに入射される光の量を調節する絞りセット；
前記レンズバレルと前記絞りセットを共に光軸方向に移動させる第１マグネットと第１コイルを含む第１駆動部；及び
前記ハウジングに付着して前記第１駆動部の駆動のために外部に露出する複数の端子を含む第２基板を含み、
前記絞りセットは、内部に絞りを駆動する第２駆動部が配置されて、前記複数の端子は、前記第２駆動部と連結されていることを特徴とする、光学装置。
【国際調査報告】
2019530899.tif 000016
2019530899.tif 000017
2019530899.tif 000018
2019530899.tif 000019